(57)【要約】      （修正有）【課題】杖と前腕が好適な保持安定性及び使用利便性を持つ、ロフストランドクラッチを提供する。【解決手段】支柱１とグリップ２と保持装置３とを含むロフストランドクラッチである。該支柱１が地面と接することができ、上方にカフ部１３を有する。該グリップ２は、支柱１の前方のカフ部１３の下方に対応する位置に設けられる。該保持装置３は、対応する２つの保持部材３１と、２つの対応する弾性体３３とを備える。該２つの保持部材３１が各々カフ部１３の両側に設けられ、該２つの弾性体３３が各々２つの保持部材３１及びカフ部１３と接合されると共にカフ部１３に対応する弾性保持力を２つの保持部材３１に提供する。また該支柱１は長さを調整できる上支柱１１、下支柱１２を備え、該下支柱１２の下方に支持部１７を有する。これにより、本発明は、前腕を保持する好適な安定性、利便性及び快適性を持つ。【選択図】図１
2019195392.tif 000002
【特許請求の範囲】
【請求項１】
地面と接することができ、
上方にカフ部を有する支柱と、
前記支柱の前方の、前記カフ部の下方に対応する位置に設けられるグリップと、
前記カフ部の両側に対応する２つの保持部材と、前記２つの保持部材に対応する２つの弾性体とを備え、前記２つの弾性体が各々前記２つの保持部材及び前記カフ部と接合されると共に、前記カフ部に対応する弾性保持力を前記２つの保持部材に提供する保持装置と、  を含むことを特徴とする、ロフストランドクラッチ。
【請求項２】
前記支柱の前記カフ部の両側に対向する２つの切欠部が設けられ、前記２つの切欠部の上方及び下方に各々前記２つの切欠部の側面から突出する上枢結部及び下枢結部が設けられ、
前記上枢結部に枢結孔を有し、前記下枢結部に上向きに突出する軸ポストを有し、
前記保持装置は対応する２つの枢結ポストを更に含み、
前記２つの保持部材が前腕を保持できる保持部を備え、前記保持部の一端に側枢結部が設けられ、前記側枢結部を前記カフ部の前記２つの切欠部の位置に収容させることができ、
上方の前記上枢結部の前記枢結孔に対応する位置にスロットが設けられ、また前記側枢結部の下方の前記下枢結部の前記軸ポストに対応する位置に前記軸ポストを嵌合できる軸孔が設けられ、
前記２つの保持部の前端に間隔があけられ、
また前記２つの枢結ポストは、各々２つの前記上枢結部の前記枢結孔の位置に設けられ、
下方に前記保持部材の前記側枢結部の前記スロットを挿通できる第１挿嵌部を有し、前記保持部材が前記枢結ポストを前記枢結孔内に回転させることができ、
各前記弾性体は前記枢結ポスト及び前記支柱の前記カフ部と接合されると共に、前記カフ部に対応する弾性保持力を前記２つの保持部材に提供することを特徴とする、請求項１に記載のロフストランドクラッチ。
【請求項３】
前記２つの弾性体は、金属材質であることを特徴とする、請求項２に記載のロフストランドクラッチ。
【請求項４】
前記上枢結部の前記枢結孔の内壁に挿設溝が延出して設けられ、
前記枢結ポストの上方に、凹溝が設けられた接合部が設けられ、
また前記２つの弾性体は、コイルと２つの端部とを備えたねじりバネであり、、前記コイルが前記枢結ポストの前記接合部上に嵌め込まれ、前記２つの端部が前記枢結ポストの前記凹溝及び前記上枢結部の前記挿設溝と接合されることを特徴とする、請求項２に記載のロフストランドクラッチ。
【請求項５】
前記支柱の前記下枢結部は、前記軸ポストの上方に直径が前記軸ポストの下方より小さい拘束部が設けられ、前記拘束部の外縁に拘束体が突設され、
前記保持部材の前記側枢結部下方の前記下枢結部の前記軸ポストに対応する位置に前記軸ポストを嵌合できる軸孔が設けられ、前記軸孔の上方に前記拘束体と当接すると共に前記２つの保持部材の最小保持角度を制限する当接体が設けられることを特徴とする、請求項２に記載のロフストランドクラッチ。
【請求項６】
前記保持装置は、２つの蓋体を更に含み、前記２つの蓋体が前記上枢結部の前記枢結孔を覆い被せることができることを特徴とする、請求項２に記載のロフストランドクラッチ。
【請求項７】
前記上枢結部の前記枢結孔の内壁に係合凸条が設けられ、
前記蓋体は、蓋板と前記蓋板の周縁から下向きに延伸する側壁とを備え、かつ前記蓋体が前記側壁を介して前記係合凸条と接合して前記枢結孔を安定して覆い被せることができることを特徴とする、請求項６に記載のロフストランドクラッチ。
【請求項８】
前記支柱は、上支柱と下支柱とロックボタンとを含み、前記上支柱及び前記下支柱が前記ロックボタンで組み立てられ、前記カフ部が前記上支柱に設けられ、前記下支柱の下方に支持部が設けられることを特徴とする、請求項１又は２に記載のロフストランドクラッチ。
【請求項９】
前記上支柱の下方の縦方向に接合溝が設けられ、前記接合溝の一側に第２接合孔が設けられ、
また前記下支柱の上方に前記接合溝を挿通できる第２挿嵌部を有し、前記下支柱の下方に支持部が設けられ、前記第２挿嵌部の高さの異なる位置に複数の第３接合孔が設けられると共に前記第２挿嵌部を前記接合溝の適切な長さに挿入してから前記ロックボタンを前記下支柱の前記複数の第３接合孔のうち前記接合溝の適切な長さに対応するものと前記上支柱の前記第２接合孔に挿通して組立の長さを固定することを特徴とする、請求項８に記載のロフストランドクラッチ。
【請求項１０】
前記支持部は、前記第２挿嵌部の下方と連結する直線セクションを備え、
前記直線セクションの下方に円弧形の屈曲部を有し、前記屈曲部の下方に底部を有し、かつ前記屈曲部に対応して対向する上内面及び下内面に各々上当接片及び下当接片が突設され、前記上当接片及び前記下当接片の間に前記屈曲部の圧縮変形の間隔をあけることを特徴とする、請求項９に記載のロフストランドクラッチ。
【発明の詳細な説明】
【技術分野】
【０００１】
本発明は、ロフストランドクラッチに関する。特に、杖と前腕が好適な保持安定性及び使用利便性を持つロフストランドクラッチに関する。
【背景技術】
【０００２】
従来のロフストランドクラッチは、主に杖の上方に前腕を保持するカフが設けられることで握り安定性を提供する。図９に示すのが従来構造の１つである。すなわち、
主に支柱１’とグリップ２’とカフ部３’とを備え、該支柱１’の下方に軟質プラスチックキャップ１１’が設けられ、また該グリップ２’が支柱１’の上方位置に設けられ、該カフ部３’が支柱１’の頂端に設けられ、左右対向の２つの保持部材３１’、３２’を備える。
また、該２つの保持部材３１’、３２’の一端が支柱１’と連結し、２つの保持部材３１’、３２’の他端に間隔３３’を有し、２つの保持部材３１’、３２’間に嵌合溝３４’を有する。
これにより、使用者が手でグリップ２’を握り、前腕を嵌合溝３４’内に通して保持部材３１’、３２’で保持すると共にカフ部３’で前腕を保持することで、使用者が手で杖を握る際の保持安定性を高める。
【０００３】
しかしながら、前記保持部材３１’、３２’が変形すると、前腕を安定して保持できなくなり、また前腕が該間隔３３’から離脱する状況が生じる。
また該支柱１’下方のキャップ１１’の支持弾性が悪く、使用上の快適性が劣るという欠陥を有する。
【０００４】
上記欠陥を改善するため、特許文献１に開示されているロフストランドクラッチは、カフ部の２つの保持部材の端部の間にバンド本体が設けられる。カフ部に前腕を通してからバンド本体と２つの保持部材の端部とが結合され、これにより前腕は２つの保持部材及びバンド本体で巻き付けて接合されることで、カフ部と前腕の保持安定性が向上する。
ただし、前記構造の使用時、バンド本体と２つの保持部材の接合操作をしなければならず、使用操作上不便であるという欠陥を有する。
【先行技術文献】
【特許文献】
【０００５】
【特許文献１】米国特許第ＵＳ２０１１０２３２７０９号
【発明の概要】
【発明が解決しようとする課題】
【０００６】
本発明の主要目的は、杖と前腕との好適な保持安定性及び使用利便性を持つ構造を提供することにある。
【０００７】
本発明の別の目的は、好適な支持の快適性を持つ構造を提供することにある。
【０００８】
本発明の更なる目は、長さを調整することで適用性を向上する構造を提供することにある。
【課題を解決するための手段】
【０００９】
本発明は、支柱とグリップと保持装置とを含み、該支柱が地面と接することができ、上方にカフ部を有し、該グリップは、支柱前方のカフ部下方に対応する位置に設けられ、
該保持装置は、対応する２つの保持部材と、２つの対応する弾性体とを備え、該２つの保持部材が各々カフ部の両側に設けられ、該２つの弾性体が各々２つの保持部材及びカフ部と接合されると共に、カフ部に対応する弾性保持力を２つの保持部材に提供する。
【００１０】
更に、該支柱のカフ部の両側に対向の切欠部が設けられ、２つの切欠部の上、下方に各々切欠部の側面から突出する上、下枢結部が設けられ、該上枢結部に枢結孔を有し、該下枢結部に上向きに突出する軸ポストを有する。
該保持装置は２つの対応の枢結ポストを更に含み、該２つの保持部材が前腕を保持できる保持部を備え、該保持部の一端に側枢結部が設けられ、該側枢結部はカフ部の切欠部位置に収容させることができる。
上方の上枢結部の枢結孔に対応する位置にスロットが設けられ、また該側枢結部下方の下枢結部の軸ポストに対応する位置に軸ポストを嵌合できる軸孔が設けられ、該２つの保持部の前端に間隔をあける。
また、該２つの枢結ポストは、各々２つの上枢結部の枢結孔位置に設けられ、下方に保持部材の側枢結部のスロットを挿通できる挿嵌部を有し、保持部材が枢結ポストを枢結孔内に回転させることができる。
該各弾性体は各々枢結ポスト及び支柱のカフ部と接合されると共に、カフ部に対応する弾性保持力を２つの保持部材に提供する。
【００１１】
更に、該支柱の下枢結部は、軸ポスト上方に直径が下方より小さい拘束部が設けられ、拘束部の外縁に拘束体が突設される。
又、該保持部材の側枢結部下方の下枢結部の軸ポストに対応する位置に軸ポストを嵌合できる軸孔が設けられ、該軸孔の上方に拘束体と当接すると共に２つの保持部材の最小保持角度を制限する当接体が設けられる。
【００１２】
本発明の支柱は、上支柱と下支柱とロックボタンとを含む。該上、下支柱がロックボタンで組み立てられ、該カフ部が上支柱に設けられ、下支柱の下方に弾性支持部が設けられる。該上支柱下方の縦方向に接合溝が設けられ、該接合溝の一側に第２接合孔が設けられ、また該下支柱の上方に接合溝を挿通できる挿嵌部を有し、下方に弾性支持部が設けられる。
該挿嵌部の高さの異なる位置に複数の第３接合孔が設けられると共に、挿嵌部を接合溝の適切な長さに挿入してからロックボタンを下支柱の第３接合孔、上支柱の第３接合孔に挿通して組立の長さを固定する。
該弾性支持部は挿嵌部の下方と連結する直線セクションを備え、直線セクションの下方に円弧形屈曲部を有する。該屈曲部の下方に底部を有し、かつ屈曲部に対応する対向の上、下内面に各々上当接片、下当接片が突設され、該上、下当接片の間に屈曲部の圧縮変形の間隔をあける。
【発明の効果】
【００１３】
本発明の保持装置の２つの保持部材は、弾性体を通じて好適な保持力を提供することで、前腕を保持する利便性、信頼性及び安定性を提供できる。また該下支柱の屈曲部は、好適な支持の快適性を提供でき、かつ該上、下当接片が当接することにより屈曲部の変形量を制限できるため、好適な支持の安全性という効果を奏する。
【図面の簡単な説明】
【００１４】
【図１】本発明の分解斜視図である。
【図２】本発明の部分分解斜視図である。
【図３】本発明の組立後の斜視図である。
【図４】本発明の図３のＡ−Ａ線断面図である。
【図５】本発明の図３のＢ−Ｂ線断面図である。
【図６】本発明の保持部材で前腕を保持する時の模式図である。
【図７】本発明の支柱の長さを調整する場合の部分断面図である。
【図８】本発明の実施形態を示す模式図、及び部分拡大断面図である。
【図９】従来のロフストランドクラッチを示す斜視図である。
【発明を実施するための形態】
【００１５】
図１乃至図５を参照する。本発明は、支柱１とグリップ２と保持装置３とを含み、該支柱１が地面と接することができる。また、上支柱１１と下支柱１２とロックボタン１９とを備える。該上支柱１１の上方にカフ部１３を有し、該カフ部１３の両側に対向の切欠部１３１が設けられ、２つの切欠部１３１の上、下方に各々切欠部１３１側面から突出する上、下枢結部１４、１５が設けられる。
該上枢結部１４は枢結孔１４１を備え、枢結孔１４１の内壁に挿設溝１４２及び複数の係合凸条１４３を延出して設け、かつ該下枢結部１５が上向きに突出する軸ポスト１５１を備え、該軸ポスト１５１の上方に直径が下方より小さい拘束部１５２が設けられる。
また拘束部１５２の外縁に拘束体１５３が突設され、該上支柱１１の頂部後方に第１接合孔１１１が設けられると共に、滑り止め部材１１２が構設され、該滑り止め部材１１２は杖を壁面に立て掛ける時（図示せず）の滑り止めの役目を果たす。
該上支柱１１下方の縦方向に接合溝１１３が設けられ、該接合溝１１３の一側に第２接合孔１１４が設けられる。また、上支柱１１の後方に複数の当接凸部１０が設けられ、該当接凸部１０はテーブル天板端部（図示せず）に当接支持されて固定されることで、杖の転倒を防止するという利便性を提供できる。
【００１６】
下支柱１２の上方に接合溝１１３を挿通できる第２挿嵌部１６を有し、下方に弾性支持部１７が設けられる。
該第２挿嵌部１６の高さの異なる位置に複数の第３接合孔１６１が設けられると共に第２挿嵌部１６を接合溝１１３の適切な長さに挿入してからロックボタン１９を下支柱１２の第３接合孔１６１、上支柱１１第２接合孔１１４に挿通して組立の長さを固定する。
該弾性支持部１７は第２挿嵌部１６の下方と連結する直線セクション１７１を備え、直線セクション１７１の下方に円弧形の屈曲部１８を有し、該屈曲部１８の下方に底部１８１を有し、底部１８１の下方に滑り止めパッド１８２（図７、図８）が設けられる。
また、屈曲部１８に対応する対向の上、下内面に各々上当接片１８３、下当接片１８４が突設され、該上、下当接片１８３，１８４の間に屈曲部１８の圧縮変形の間隔１８５（図７、図８）をあける。
【００１７】
グリップ２は、支柱１の上支柱１１の前方及びカフ部１３の下方に対応する位置に設けられる。
【００１８】
２つの保持装置３は、２つの対応する保持部材３１と、２つの対応する枢結ポスト３２と、２つの対応する弾性体３３と、２つの対応する蓋体３４とを含む。
該２つの保持部材３１が各々カフ部１３の両側に設けられ、前腕を保持できる保持部３１１を備える。保持部３１１の一端に側枢結部３１２が設けられ、該側枢結部３１２はカフ部１３の切欠部１３１位置に収容させることができる。
上方の上枢結部１４の枢結孔１４１に対応する位置に非円形のスロット３１３が設けられ、かつ該側枢結部３１２下方の下枢結部１５の軸ポスト１５１に対応する位置に軸ポスト１５１を嵌合できる軸孔３１４が設けられ、該軸孔３１４の上方に拘束体１５３と当接でき、２つの保持部材３１の最小保持角度を制限できる当接体３１５が設けられる。
【００１９】
２つの枢結ポスト３２は、各々２つの上枢結部１４の枢結孔１４１位置に設けられ、下方に保持部材３１の側枢結部３１２のスロット３１３を挿通できる非円形の挿嵌部３２１を有すると共に保持部材３１が枢結ポスト３２を枢結孔１４１内で回転させることができる。
また枢結ポスト３２の上方に円柱状の接合部３２２が設けられ、該接合部３２２に凹溝３２３が設けられる。
【００２０】
２つの弾性体３３は、各々カフ部１３に対応する弾性保持力を２つの保持部材３１に提供する。該２つの弾性体３３が金属ねじりバネで、コイル３３１と２つの端部３３２、３３３とを備え、該コイル３３１が枢結ポスト３２の接合部３２２上を嵌込み、２つの端部３３２、３３３が各々枢結ポスト３２の凹溝３２３及び上枢結部１４の挿設溝１４２と接合される。
２つの保持部材３１は弾性体３３の弾性力を通じて保持され、また当接体３１５を拘束体１５３に当接させ、２つの保持部材３１の保持部３１１の前端の間に人の前腕の直径より小さい間隔３１６を持たせる。
【００２１】
２つの蓋体３４は、上枢結部１４の枢結孔１４１頂端を覆い被せることができる。また、蓋板３４１と蓋板３４１周縁から下向きに延伸する側壁３４２とを備え、蓋体３４が側壁３４２を介して係合凸条１４３と接合して枢結孔１４１を安定して覆い被せることができる。また弾性体３３及び枢結ポスト３２を遮蔽することで、組立の質感を向上できる。
【００２２】
本発明の保持装置３の２つの保持部材３１は、金属弾性体３３を通じて好適な保持力を提供できる。該金属弾性体３３が長時間使用でき、弾性疲労が起きにくく、保持部材自体の撓みで前腕を保持する従来のものより好適な保持安定性を持つ。
【００２３】
図５を参照する。本発明の２つの保持部材３１は、当接体３１５を通じて拘束体１５３と当接して２つの保持部材３１間に間隔３１６を持たせる。２つの保持部材３１が開いて、使用者の前腕４を図６に示すように２つの保持部材３１の間に入れ、好適な使用操作上の利便性の効果を奏する。
【００２４】
図７、図８を参照する。本発明は、適切な支柱１の長さを固定するため、使用者の必要に合わせて下支柱１２の適切な第３接合孔１６１と上支柱１１の第２接合孔１１４をロックボタン１９で接合させることができる。
本発明の２つの保持部材３１が好適な保持力で前腕を保持し、杖と前腕の離脱を防止できる。
また、支柱１に圧下力を受けた時、該屈曲部１８が適切な圧縮変形における弾性を提供できる。
さらに、圧下力が比較的大きい時、該上、下当接片１８３、１８４は当接して屈曲部１８の過度な変形により杖の長さが大幅に変わることを防止し、また屈曲部１８の折損も防止することで、好適な支持の快適性、及び安全性の効果を兼ね備えることができる。
【００２５】
よって、上記から分かるように、本発明は従来の構造より遥かに好適な、前腕を保持する安定性定性、信頼性、利便性の効果を有する。
【００２６】
また、前述の通り開示した具体的実施例は、あくまでも本発明の技術内容を明らかにするものであって、本発明を限定して解釈するためのものではない。本発明の精神を逸脱することなく、本発明の均等範囲内で行われる限り、種々の修正及び変更が可能である。また、それらの修正および変更の結果も、本発明の範囲内に含まれるものであるのは勿論である。なお、本発明の範囲は添付する特許請求の範囲に限定される。
【符号の説明】
【００２７】
１      支柱
１０    当接凸部
１１    上支柱
１１１  第１接合孔
１１２  滑り止めパッド
１１３  接合溝
１１４  第２接合孔
１２    下支柱
１３    カフ部
１３１  切欠部
１４    上枢結部
１４１  枢結孔
１４２  挿設溝
１４３  係合凸条
１５    下枢結部
１５１  軸ポスト
１５２  拘束部
１５３  拘束体
１６    第２挿嵌部
１６１  第３接合孔
１７    弾性支持部
１７１  直線セクション
１８    屈曲部
１８１  底部
１８２  滑り止めパッド
１８３  上当接片
１８４  下当接片
１８５  間隔
１９    ロックボタン
２      グリップ
３      保持装置
３１    保持部材
３１１  保持部
３１２  側枢結部
３１３  スロット
３１４  軸孔
３１５  当接体
３１６  間隔
３２    枢結ポスト
３２１  第１挿嵌部
３２２  接合部
３２３  凹溝
３３    弾性体
３３１  コイル
３３２  端部
３３３  端部
３４    蓋体
３４１  蓋板
３４２  側壁
４      前腕
１’    支柱
２’    グリップ
３’    カフ部
３１’  保持部材
３２’  保持部材
３３’  間隔
３４’  嵌合部
【図１】
2019195392.tif 000003
【図２】
2019195392.tif 000004
【図３】
2019195392.tif 000005
【図４】
2019195392.tif 000006
【図５】
2019195392.tif 000007
【図６】
2019195392.tif 000008
【図７】
2019195392.tif 000009
【図８】
2019195392.tif 000010
【図９】
2019195392.tif 000011